(57)【要約】【課題】靴内に収容することにより、優れた抗菌、防カビ、消臭効果を発揮すると共に、マイナスイオンと遠赤外線放射により、新陳代謝促進作用を実現する靴の中敷を提供すること。【解決手段】靴内に収容される中敷において、該中敷１は、銅粉末層２と、竹炭粉末層３と、ゼオライト鉱石粉末層４と、多元素鉱石粉末層５と、備長炭粉末層６とを積層して構成される。【選択図】    図１
2004358146.tif 000002
【特許請求の範囲】
【請求項１】
靴内に収容される中敷において、該中敷は、銅粉末層と、竹炭粉末層と、ゼオライト鉱石粉末層と、多元素鉱石粉末層と、備長炭粉末層とを積層して構成されることを特徴とする靴の中敷。
【請求項２】
前記中敷の底面に接着材を設けた請求項１記載の靴の中敷。
【発明の詳細な説明】
【０００１】
【発明の属する技術分野】
本発明は、靴内に収容される中敷において、特に、抗菌、防カビ、消臭効果を発揮すると共に、優れた新陳代謝促進作用を実現させることができる靴の中敷に関する。
【０００２】
【従来の技術】
一般的に、靴の内部には、保温性や緩衝性を向上させるために中敷が収容されている。通常の中敷は、緩衝性や吸湿性を有するコットンやウレタン発泡樹脂等の基材を靴底形に成形して製造されている。また特に、パルプからなるベースシートの上下両面にそれぞれ備長炭粉末を混合したバインダを介在して合成繊維からなる表側、裏側不織布を貼り合わせてなり、前記表側不織布の合成繊維がナイロンからなると共に、前記裏側不織布の合成繊維がポリプロピレンからなることを特徴とした靴中敷が提供されている（例えば、特許文献１参照）。
【０００３】
【特許文献１】
実用新案登録第３０８３７７２号公報  （第１−３頁、図１）
【０００４】
【発明が解決しようとする課題】
上掲特許文献１における靴中敷は、脱臭、除湿などの効果に優れ、さらに清潔感、爽やか感に優れるという特徴を有するが、より高い抗菌作用、防カビ効果、および消臭効果を発揮するまでには至らなかった。
【０００５】
そこで本発明は上記の点に鑑み、靴内に収容することにより、優れた抗菌、防カビ、消臭効果を発揮すると共に、マイナスイオンと遠赤外線放射により、新陳代謝促進作用を実現する靴の中敷を提供することにある。
【０００６】
【課題を解決するための手段】
上記課題を解決するために、靴内に収容される中敷において、該中敷は、銅粉末層と、竹炭粉末層と、ゼオライト鉱石粉末層と、多元素鉱石粉末層と、備長炭粉末層とを積層して構成されることを特徴とする。そのため、銅粉末層の銅酸化イオンにより抗菌作用が得られ、竹炭粉末層から発せられるマイナスイオンと遠赤外線放射により足底の新陳代謝が高まり、ゼオライト鉱石粉末層のトルマリン作用により副交換神経に作用して疲労を和らげ、多元素鉱石粉末層により身体の老化や腐敗を防ぎ、さらには、備長炭粉末層による抗菌、防カビの効果が得られる。
【０００７】
また、前記中敷の底面に接着材を設けたことにより、使用中、中敷がずれたり移動したりすることを防ぐことができる。
【０００８】
【発明の実施の形態】
以下、本発明の靴の中敷の実施の形態を図面に基づいて説明する。なお、図１は中敷の拡大断面図、図２は中敷の一部欠切状態の斜視図、図３は中敷の底面を示す斜視図、図４は中敷を靴の中に収容させた状態の断面図を表す。
【０００９】
本発明の靴の中敷１は、図１に示すように、銅粉末層２と、竹炭粉末層３と、ゼオライト鉱石粉末層４と、多元素鉱石粉末層５と、備長炭粉末層６とを積層して構成されている。また、それぞれの粉末は、コットン、ポロプロピレン、パルプ、アクリル発泡樹脂、ビニル樹脂等の織布、不織布からなる基材ａ内に混合し、含有、または表面に貼着されている。
【００１０】
銅粉末層２は、中敷１の上面（足底面）に配置されており、基材ａ内に混合、含有、または表面に貼着されている。前記銅粉末層２は、使用中、足底から出る汗などの酸化物により、銅粉末層２の表面が酸化されて酸化還元反応が得られ、大量の銅イオンが発生される。そのため、殺菌を撃退し増殖を抑え抗菌作用を発揮することができる。また、前記銅粉末層２は、後述詳細の竹炭粉末層３との間で湿度の上昇が得られることにより、電位が発生して触媒作用が高まるという特性を有する。
【００１１】
竹炭粉末層３は、前記銅粉末層２の下部に配置されており、基材ａ内に混合、含有、または表面に貼着されている。前記竹炭粉末層３の竹炭は、近日、遠赤外線を放射すると共に、マイナスイオンの発生も得られるといことが知られている。そのため、遠赤外線とマイナスイオンにより、使用中に足底の新陳代謝が高まり、健康促進効果が得られる。
【００１２】
ゼオライト鉱石粉末層４は、前記竹炭粉末層３の下部に配置されており、基材ａ内に混合、含有、または表面に貼着されている。前記ゼオライト鉱石粉末層４の鉱石は、別名セイント鉱石とも呼ばれ、酸化珪素、酸化アルミニウム、酸化鉄、酸化マグネシウム、酸化カルシウム、酸化ナトリウム、酸化カリウムと微量元素等で構成されている。また、前記ゼオライト鉱石粉末層４は、トルマリンの数倍の遠赤外線効果を有し、人体の副交換神経に作用し疲労を和らげ、いやしの効果を発揮するという特性がある。
【００１３】
多元素鉱石粉末層５は、前記ゼオライト鉱石粉末層４の下部に配置されており、基材ａ内に混合、含有、または表面に貼着されている。前記多元素鉱石粉末層５の多元素鉱石は、別名緑石とも呼ばれ、珪素、酸化アルミニウム、酸化鉄、石灰、苦土、燐酸、カリ、酸化マンガン等で構成されている。また、前記多元素鉱石粉末層５は、多くのマイナスイオンを発生して新陳代謝を促進すると共に、アンモニア、トリメチルアミン、硫化水素、メチルメルカブタンといった極性の異なる悪臭も消臭分解するため、優れた消臭効果も得られる。
【００１４】
備長炭粉末層６は、中敷１の最下層に配置されており、基材ａ内に混合、含有、または表面に貼着されている。前記備長炭粉末層６は、姥女樫を材料として製した備長炭を粉末化して形成されたもので、脱臭、除湿、抗菌、防カビ等の効果が得られる。
【００１５】
本発明の中敷１は、前記銅粉末層２、竹炭粉末層３、ゼオライト鉱石粉末層４、多元素鉱石粉末層５、備長炭粉末層６の粉末体を、コットン、ポロプロピレン、パルプ、アクリル発泡樹脂、ビニル樹脂等の織布、不織布からなる基材ａ内に混合、含有、または表面に貼着して形成されている。また、それぞれの基材ａは縫着または接着されて一体化されており、図２および図４に示すように、特に効果が発揮される足先部分に配置される形状に形成されている。
【００１６】
また、他の好適例として、図３に示すように、中敷１の底面に接着材１０を設けた。かかる接着材１０は、接着剤１１と剥離紙１２とで形成されており、剥離紙１２を剥し中敷１を靴底に軽く押圧することで、中敷１が靴底に固定され、使用中、中敷１がずれたり移動したりすることを防ぐことができる。なお、接着材１０を設ける箇所は特に限定されたものではないが、接着効率を考慮した場合、図示するように、つま先と対向する箇所が最も好ましい。
【００１７】
【発明の効果】
以上説明してきたように、本発明の靴の中敷は、上述により以下に示す効果を奏するものである。
【００１８】
本発明の靴の中敷は、銅粉末層と、竹炭粉末層と、ゼオライト鉱石粉末層と、多元素鉱石粉末層と、備長炭粉末層とを積層して構成されることを特徴とする。そのため、銅粉末層の銅酸化イオンにより抗菌作用が得られ、竹炭粉末層から発せられるマイナスイオンと遠赤外線放射により足底の新陳代謝が高まり、ゼオライト鉱石粉末層のトルマリン作用により副交換神経に作用して疲労を和らげ、多元素鉱石粉末層により身体の老化や腐敗を防ぎ、さらには、備長炭粉末層による抗菌、防カビの効果が得られる。
【００１９】
また、中敷の底面に接着材を設けたことにより、使用中、中敷がずれたり移動したりすることを防ぐことができる。
【図面の簡単な説明】
【図１】本発明の靴の中敷の拡大断面図である。
【図２】中敷の一部欠切状態の斜視図である。
【図３】中敷の底面を示す斜視図である。
【図４】中敷を靴の中に収容させた状態の断面図である。
【符号の説明】
１・・・中敷
２・・・銅粉末層
３・・・竹炭粉末層
４・・・ゼオライト鉱石粉末層
５・・・多元素鉱石粉末層
６・・・備長炭粉末層
ａ・・・基材
１０・・接着材
１１・・接着剤
１２・・剥離紙
【図１】
2004358146.tif 000003
【図２】
2004358146.tif 000004
【図３】
2004358146.tif 000005
【図４】
2004358146.tif 000006